(57)【要約】【課題】テレビジョンチューナの小型化を図ることができ、ＰＬＬ回路およびＶＣＯブロックに対して高周波ブロックにおける高周波の影響を低減させて、発振信号のフェーズノイズ特性を改善させることのできるテレビジョンチューナを提供すること。【解決手段】ＰＬＬ回路１０と、チューニング電圧が供給される共振回路９ｕを有した発振回路とＲＦ同調回路５ｕとを備えるとともに、発振回路用共振回路が、ＲＦ同調回路用共振回路とＰＬＬ回路１０との間に配置されたテレビジョンチューナにおいて、ＰＬＬ回路１０に接続されたチューニング電圧供給ライン１１ｖを介して発振回路用共振回路にチューニング電圧を供給するとともに、チューニング電圧供給ライン１１ｖを発振回路用共振回路から更に延伸して延長チューニング電圧供給ライン１１ｅを形成し、当該延伸チューニング電圧供給ライン１１ｅを介して、ＲＦ同調回路用共振回路にチューニング電圧を供給することを特徴とする。【選択図】図１
2007306116.tif 000002
【特許請求の範囲】
【請求項１】
チューニング電圧を発生させるＰＬＬ回路と、
前記チューニング電圧が供給される共振回路を有した発振回路と、
前記チューニング電圧が供給される共振回路を有したＲＦ同調回路とを備えるとともに、
前記発振回路用共振回路が、前記ＲＦ同調回路用共振回路と前記ＰＬＬ回路との間に配置されたテレビジョンチューナにおいて、
前記ＰＬＬ回路に接続されたチューニング電圧供給ラインを介して前記発振回路用共振回路に前記チューニング電圧を供給するとともに、
前記チューニング電圧供給ラインを前記発振回路用共振回路から更に延伸して延長チューニング電圧供給ラインを形成し、当該延伸チューニング電圧供給ラインを介して、前記ＲＦ同調回路用共振回路にチューニング電圧を供給する
ことを特徴とするテレビジョンチューナ。
【請求項２】
前記延伸チューニング電圧供給ラインに、ＲＦ信号減衰手段を設けた
ことを特徴とする請求項１に記載のテレビジョンチューナ。
【請求項３】
前記ＲＦ信号減衰手段は、抵抗とコンデンサから構成されたローパスフィルタである
ことを特徴とする請求項２に記載のテレビジョンチューナ。
【発明の詳細な説明】
【技術分野】
【０００１】
本発明は、テレビジョンチューナに係り、特にＰＬＬ回路からのチューニング電圧を用いてチューニングを行うテレビジョンチューナに関する。
【背景技術】
【０００２】
一般に、テレビジョンチューナにおいては、例えば特開２００３−１８９２０２号公報に示すように、ＰＬＬ回路からのチューニング電圧は、ＶＣＯブロックにおける発振回路に接続された共振回路である発振回路用共振回路に供給されるだけでなく、高周波ブロックにおけるＲＦ同調回路の共振回路であるＲＦ同調回路用共振回路にも供給されようになっている。
【０００３】
この場合、それぞれの共振回路には、それぞれのチューニング電圧供給ラインを介してチューニング電圧が供給されていた。
【０００４】
図２は従来のテレビジョンチューナの代表的な一例を示す回路図である。
【０００５】
図２のテレビジョンチューナはＵＨＦとＶＨＦとの共用チューナの例を示しており、アンテナからの受信信号入力端子２１と中間周波信号出力端子２２との間にＶＨＦ帯用とＵＨＦ帯用の構成各部が接続されている。
【０００６】
一方のＵＨＦ帯においては、受信信号入力端子２１と中間周波信号出力端子２２との間に、所望のチャンネルのテレビジョン信号を選択するＵＨＦ入力同調回路２３ｕ、ＵＨＦ高周波増幅回路２４ｕ、ＵＨＦＲＦ同調回路２５ｕ、ＵＨＦ混合回路（ＭＩＸ）２６ｕ、中間周波同調回路２７（ＵＨＦとＶＨＦとで共用）、中間周波増幅器（ＩＦＡＭＰ）２８（ＵＨＦとＶＨＦとで共用）を順に備えている。
【０００７】
他方のＶＨＦ帯においては、受信信号入力端子２１と中間周波信号出力端子２２との間に、所望のチャンネルのテレビジョン信号を選択するＶＨＦ入力同調回路２３ｖ、ＶＨＦ高周波増幅回路２４ｖ、ＶＨＦＲＦ同調回路２５ｖ、ＶＨＦミキサ（ＭＩＸ）２６ｖ、中間周波同調回路２７、中間周波増幅器（ＩＦＡＭＰ）２８を順に備えている。
【０００８】
前記回路において、各入力同調回路２３ｕ、２３ｖと各ＲＦ同調回路２５ｕ、２５ｖにはそれぞれ共振周波数を変えるためのバラクタダイオード（図示せず）が設けられており、各高周波増幅回路２４ｕ、２４ｖは可変利得増幅回路で構成されている。
【０００９】
更に、選択したテレビジョン信号を中間周波信号に周波数変換するための両混合回路２６ｕ、２６ｖには、ＶＣＯブロックのＵＨＦ共振回路２９ｕ、ＶＨＦHigh共振回路２９ｖｈおよびＶＨＦLow 共振回路２９ｖｌより図示しないそれぞれの発信トランジスタ回路を通して局部発信信号が入力されるようになっている。
【００１０】
そして、ＰＬＬ回路３０のローパスフィルタ（ＬＰＦ）よりチューニングを行うチューニング電圧が出力されるようになっている。ＶＣＯブロックに対しては、チューニング電圧供給ライン３１ｖと保護用抵抗Ｒ１、Ｒ２、Ｒ３を介して各共振回路２９ｖｌ、２９ｕ、２９ｖｈの共振周波数を変えるためのバラクタダイオード（図示せず）に順に直列的にチューニング電圧が供給されるようになっている。高周波回路ブロックに対しては、異なるチューニング電圧供給ライン３１ｒと保護用抵抗Ｒ４、Ｒ５、Ｒ６、Ｒ７を介してＵＨＦＲＦ同調回路２５ｕ、ＶＨＦＲＦ同調回路２５ｖ、ＶＨＦ入力同調回路２３ｖおよびＵＨＦ入力同調回路２３ｕの共振周波数を変えるためのバラクタダイオード（図示せず）に順に直列的にチューニング電圧が供給されるようになっている。
【００１１】
【特許文献１】特開２００３−１８９２０２号公報
【発明の開示】
【発明が解決しようとする課題】
【００１２】
図２の従来例に示すように、ＶＣＯブロックと高周波ブロックの共振回路となるバラクタダイオードに対して別々のチューニング電圧供給ライン３１ｖ、３１ｒを介してＰＬＬ回路３０よりチューニング電圧が供給されていた。
【００１３】
従って、２本のチューニング電圧供給ライン３１ｖ、３１ｒ用のＤＣラインの配設用スペースがそれぞれ必要となってしまい、テレビジョンチューナの小型化を図ることができなかった。特に、ＰＬＬ回路３０とＵＨＦＲＦ同調回路２５ｕとの距離が長いので、テレビジョンチューナの小型化ための大きな障害となっていた。
【００１４】
更に、アンテナ回路からＵＨＦＲＦ同調回路２５ｕに入力されたＲＦ信号が、ＵＨＦＲＦ同調回路２５ｕ用の配線距離の長いチューニング電圧供給ライン３１ｒを介してＰＬＬ回路３０に入り、それが各発振回路の各共振回路２９ｖｌ、２９ｕ、２９ｖｈの共振周波数を変えるためのバラクタダイオードに入り込むため、ＰＬＬ回路３０および各共振回路２９ｖｌ、２９ｕ、２９ｖｈが変調を受け、発振信号のフェーズノイズ特性を劣化を誘発させるという不都合があった。特に、各共振回路２９ｖｌ、２９ｕ、２９ｖｈの共振周波数を変えるためのバラクタダイオードの容量変化率の大きい低バイアス側（各バンドの低周波数側、エンドチャンネル側）への影響が大きいという不都合があった。
【００１５】
本発明はこれらの点に鑑みてなされたものであり、ＰＬＬ回路よりＶＣＯブロックと高周波ブロックの共振回路に対して配線長さの短いチューニング電圧供給ラインを介してチューニング電圧を供給させて、テレビジョンチューナの小型化を図ることができ、ＰＬＬ回路およびＶＣＯブロックに対して高周波ブロックにおける高周波の影響を低減させて、発振信号のフェーズノイズ特性を改善させることのできるテレビジョンチューナを提供することを目的とする。
【課題を解決するための手段】
【００１６】
前記目的を達成するため、本発明に係るテレビジョンチューナの特徴は、チューニング電圧を発生させるＰＬＬ回路と、前記チューニング電圧が供給される共振回路を有した発振回路と、前記チューニング電圧が供給される共振回路を有したＲＦ同調回路とを備えるとともに、前記発振回路用共振回路が、前記ＲＦ同調回路用共振回路と前記ＰＬＬ回路との間に配置されたテレビジョンチューナにおいて、前記ＰＬＬ回路に接続されたチューニング電圧供給ラインを介して前記発振回路用共振回路に前記チューニング電圧を供給するとともに、前記チューニング電圧供給ラインを前記発振回路用共振回路から更に延伸して延長チューニング電圧供給ラインを形成し、当該延伸チューニング電圧供給ラインを介して、前記ＲＦ同調回路用共振回路にチューニング電圧を供給することを特徴とする。
【００１７】
本発明のテレビジョンチューナによれば、ＶＣＯブロックの発振回路用の共振回路と高周波ブロックのＲＦ同調回路とを配線距離の短い延長チューニング電圧供給ラインによって接続してチューニング電圧をＶＣＯブロックを通して供給するので、テレビジョンチューナの小型化を図ることができる。
【００１８】
また、本発明に係る他のテレビジョンチューナの特徴は、前記延伸チューニング電圧供給ラインに、ＲＦ信号減衰手段を設けたことを特徴とする。
【００１９】
本発明のテレビジョンチューナによれば、延伸チューニング電圧供給ラインにＲＦ信号減衰手段を設けたために、ＰＬＬ回路およびＶＣＯブロックに対して高周波ブロックにおける高周波の影響を低減させて、発振信号のフェーズノイズ特性を改善させることができる。
【００２０】
また、本発明に係る他のテレビジョンチューナの特徴は、前記ＲＦ信号減衰手段は、抵抗とコンデンサから構成されたローパスフィルタであることを特徴とする。
【００２１】
本発明のテレビジョンチューナによれば、ＲＦ信号減衰手段を抵抗とコンデンサとによって形成したローパスフィルタとすることにより、高周波ブロックの高周波信号によるＶＣＯブロックの変調と、逆にＶＣＯブロックの周波数成分による高周波ブロックの変調とを相互に遮断させることができる。
【発明の効果】
【００２２】
以上述べたように、本発明に係るテレビジョンチューナによれば、ＰＬＬ回路よりＶＣＯブロックと高周波ブロックの共振回路に対して配線長さの短いチューニング電圧供給ラインを介してチューニング電圧を供給させて、テレビジョンチューナの小型化を図ることができ、ＰＬＬ回路およびＶＣＯブロックに対して高周波ブロックにおける高周波の影響を低減させて、発振信号のフェーズノイズ特性を改善させることができるという優れた作用効果を発揮することができる。
【発明を実施するための最良の形態】
【００２３】
以下、本発明に係るテレビジョンチューナの一実施形態を図１を参照して説明する。
【００２４】
図１に示すように、本実施形態のテレビジョンチューナは、ＵＨＦとＶＨＦとの共用チューナの例を示している。
【００２５】
アンテナからの受信信号入力端子１と中間周波信号出力端子２との間にＶＨＦ帯用とＵＨＦ帯用の構成各部が接続されている。
【００２６】
一方のＵＨＦ帯においては、受信信号入力端子１と中間周波信号出力端子２との間に、所望のチャンネルのテレビジョン信号を選択するＵＨＦ入力同調回路３ｕ、ＵＨＦ高周波増幅回路４ｕ、ＵＨＦＲＦ同調回路５ｕ、ＵＨＦ混合回路（ＭＩＸ）６ｕ、中間周波同調回路７（ＵＨＦとＶＨＦとで共用）、中間周波増幅器（ＩＦＡＭＰ）８（ＵＨＦとＶＨＦとで共用）を順に備えている。
【００２７】
他方のＶＨＦ帯においては、受信信号入力端子１と中間周波信号出力端子２との間に、所望のチャンネルのテレビジョン信号を選択するＶＨＦ入力同調回路３ｖ、ＶＨＦ高周波増幅回路４ｖ、ＶＨＦＲＦ同調回路５ｖ、ＶＨＦミキサ（ＭＩＸ）６ｖ、中間周波同調回路７、中間周波増幅器（ＩＦＡＭＰ）８を順に備えている。
【００２８】
前記回路において、各入力同調回路３ｕ、３ｖと各ＲＦ同調回路５ｕ、５ｖにはそれぞれ共振周波数を変えるための共振回路の一部となるバラクタダイオード（図示せず）が設けられており、各高周波増幅回路４ｕ、４ｖは可変利得増幅回路で構成されている。
【００２９】
更に、選択したテレビジョン信号を中間周波信号に周波数変換するための両混合回路６ｕ、６ｖには、ＶＣＯブロックのＵＨＦ共振回路９ｕ、ＶＨＦHigh共振回路９ｖｈおよびＶＨＦLow 共振回路９ｖｌより図示しないそれぞれの発信トランジスタ回路を通して局部発信信号が入力されるようになっている。
【００３０】
そして、ＰＬＬ回路１０のローパスフィルタ（ＬＰＦ）よりチューニングを行うチューニング電圧がＶＣＯブロックとチューナ回路部の高周波ブロックに出力されるようになっている。
【００３１】
本実施形態においては、ＰＬＬ回路１０とＶＣＯブロックとチューナ回路部の高周波ブロックとを順に隣接させて基板（図示せず）に配置させている。
【００３２】
更に、本実施形態においては、ＶＣＯブロックに対しては、ＰＬＬ回路１０からチューニング電圧供給ライン１１ｖと保護用抵抗ｒ１、ｒ２、ｒ３を介して各共振回路９ｖｌ、９ｕ、９ｖｈの共振周波数を変えるためのバラクタダイオード（図示せず）に順に直列的にチューニング電圧が供給されるようになっている。
【００３３】
ＶＣＯブロックに隣接されているチューナ回路部の高周波ブロックに対しては、ＶＣＯブロックの各共振回路９ｖｌ、９ｕ、９ｖｈにチューニング電圧を供給するチューニング電圧供給ライン１１ｖを、発振回路用の共振回路９ｖｈから更に延伸して延長チューニング電圧供給ライン１１ｅを形成し、当該延伸チューニング電圧供給ライン１１ｅを介して、ＵＨＦＲＦ同調回路５ｕの共振回路となる共振周波数を変えるためのバラクタダイオード（図示せず）にチューニング電圧を供給するように形成されている。この延伸チューニング電圧供給ライン１１ｅには、直列に接続された２つの抵抗ｒ４、ｒ５と両抵抗ｒ４、ｒ５の中間からコンデンサＣをもって接地させて構成されたローパスフィルタからなるＲＦ信号減衰手段１２を設けている。このＲＦ信号減衰手段１２により、高周波ブロックの高周波信号によるＶＣＯブロックの変調と、逆にＶＣＯブロックの周波数成分による高周波ブロックの変調とを相互に遮断させる。
【００３４】
また、ＵＨＦＲＦ同調回路５ｕの共振回路となる共振周波数を変えるためのバラクタダイオードから更に延伸チューニング電圧供給ライン１１ｅを延長させて保護用抵抗ｒ６、ｒ７、ｒ８を介してＶＨＦＲＦ同調回路５ｖ、ＶＨＦ入力同調回路３ｖおよびＵＨＦ入力同調回路２３ｕの共振周波数を変えるためのバラクタダイオード（図示せず）に順に直列的にチューニング電圧が供給されるようになっている。
【００３５】
次に、本実施形態の作用を説明する。
【００３６】
受信チャンネルの選択指令が発信されると、ＰＬＬ回路１０に発振周波数や同調周波数（共振周波数）を設定するためのデータと局部発振信号と基準周波数信号とが入力される。この基準周波数信号は別の発振器（クリスタル発振器／図示せず）から入力される。これにより、ＰＬＬ回路１０はチューニング電圧を発生させ、ＬＰＦを通してＰＬＬ回路１０に接続されたチューニング電圧供給ライン１１ｖと保護用抵抗ｒ１、ｒ２、ｒ３を介して各共振回路９ｖｌ、９ｕ、９ｖｈの共振周波数を変えるためのバラクタダイオード（図示せず）に順に直列的にチューニング電圧を供給する。更に、ＶＣＯブロックに隣接されているチューナ回路部の高周波ブロックに対しては、発振回路用の共振回路９ｖｈからチューニング電圧供給ライン１１ｖを更に延伸して形成された延長チューニング電圧供給ライン１１ｅおよびＲＦ信号減衰手段１２を介して、ＵＨＦＲＦ同調回路５ｕの共振回路となる共振周波数を変えるためのバラクタダイオード（図示せず）にチューニング電圧が供給されるとともに、更に延長された延伸チューニング電圧供給ライン１１ｅと保護用抵抗ｒ６、ｒ７、ｒ８を介してＶＨＦＲＦ同調回路５ｖ、ＶＨＦ入力同調回路３ｖおよびＵＨＦ入力同調回路２３ｕの共振周波数を変えるためのバラクタダイオード（図示せず）に順に直列的にチューニング電圧が供給される。
【００３７】
これにより選択されたチャンネルに応じた値とされたチューニング電圧をバラクタダイオード部分に供給された高周波ブロックの各入力同調回路３ｕ、３ｖ、各ＲＦ同調回路５ｕ、５ｖと、ＶＣＯブロックの各共振回路９ｕ、共振回路９ｖｈ、共振回路９ｖｌと、混合回路６ｕ、６ｖのうちの適正部分が選択的に作動して、中間周波信号出力端子２から中間周波信号が出力される。例えば、ＵＨＦが選択されると、ＵＨＦに対応する値のチューニング電圧が高周波ブロックの入力同調回路３ｕ、ＲＦ同調回路５ｕと、ＶＣＯブロックの共振回路９ｕと、混合回路６ｕの各バラクタダイオード部分に供給され、各回路が選択的に適正に作動して、中間周波信号出力端子２から中間周波信号が出力される。
【００３８】
本実施形態においては、ＶＣＯブロックの発振回路用の共振回路９ｖｈと高周波ブロックのＵＨＦＲＦ同調回路５ｕとを配線距離の短い延長チューニング電圧供給ライン１１ｅによって接続してチューニング電圧をＶＣＯブロックを通して供給するので、従来のような長いＤＣラインを配設する必要がないために、テレビジョンチューナの小型化を図ることができる。
【００３９】
また、本実施形態においては、延伸チューニング電圧供給ライン１１ｅに、ＲＦ信号減衰手段１２を設けたために、ＰＬＬ回路およびＶＣＯブロックに対して高周波ブロックにおける高周波成分がＶＣＯ側に流入する信号レベルを低減させて、発振信号のフェーズノイズ特性を改善させることができる。特に、共振周波数を変えるためのバラクタダイオードにおいては、容量変化率の大きい低バイアス側（各バンドの低周波数側、エンドチャンネル側）であっても影響を受けることがない。従来例と比較すると本実施形態にいては、ＶＣＯ側に流入する信号レベルを約３０デシベルも低減させることができた。
【００４０】
また、本実施形態においては、ＲＦ信号減衰手段１２を２つの抵抗ｒ４、ｒ５とコンデンサＣとによって形成したローパスフィルタとすることにより、高周波ブロックの高周波信号によるＶＣＯブロックの変調と、逆にＶＣＯブロックの周波数成分による高周波ブロックの変調とを相互に遮断させることができ、発振信号のフェーズノイズ特性をより一層改善させることができる。
【００４１】
なお、本発明は前記実施形態に限定されるものではなく、必要に応じて種々変更することが可能である。
【図面の簡単な説明】
【００４２】
【図１】本発明のテレビジョンチューナの一実施形態を示す回路図
【図２】従来のテレビジョンチューナの一例を示す回路図
【符号の説明】
【００４３】
１  受信信号入力端子
２  中間周波信号出力端子
３ｕ、３ｖ  入力同調回路
４ｕ、４ｖ  高周波増幅回路
５ｕ、５ｖ  ＲＦ同調回路
６  混合回路
７  中間周波同調回路
８  中間周波増幅回路
９  共振回路
１０  ＰＬＬ回路
１１ｖ  チューニング電圧供給ライン
１１ｅ  延長チューニング電圧供給ライン
【図１】
2007306116.tif 000003
【図２】
2007306116.tif 000004